【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  カラー画像データをモノクロ印刷用にビットマップイメージに展開する画像処理装置であって、
重複領域に印刷され得る複数の画像データのうち、特定の画像データをビットマップイメージに展開する第１展開手段と、
前記複数の画像データのうち、前記特定の画像データ及び他の画像データを共にビットマップイメージに展開する第２展開手段と、
前記第１展開手段により展開された前記特定の画像データのビットマップイメージと前記第２展開手段により展開された前記特定の画像データ及び前記他の画像データのビットマップイメージとを比較して両者の濃度差を検出する濃度検出手段と、
該濃度検出手段により検出された濃度差に基づいて前記特定の画像データ及び前記他の画像データの少なくとも一方の濃度情報を補正する補正手段と、
該補正手段により濃度情報の補正がなされた場合は、補正後における前記特定の画像データ及び前記他の画像データを共にビットマップイメージに再度展開する再展開手段とを備えたことを特徴とする画像処理装置。
【請求項２】  前記特定の画像データは背景画像データであることを特徴とする請求項１記載の画像処理装置。
【請求項３】  前記他の画像データは描画オブジェクトにより規定される画像データであることを特徴とする請求項１または２記載の画像処理装置。
【請求項４】  前記第１展開手段による前記特定の画像データのビットマップイメージへの展開、前記第２展開手段による前記特定の画像データ及び前記他の画像データのビットマップイメージへの展開、並びに前記濃度検出手段による濃度差の検出は、前記他の画像データの描画対象領域についてなされることを特徴とする請求項１〜３のいずれか１項に記載の画像処理装置。
【請求項５】  前記濃度検出手段は、前記第１展開手段により展開されたビットマップイメージと前記第２展開手段により展開されたビットマップイメージとのピクセル情報の一致率に基づき前記濃度差を検出することを特徴とする請求項１〜４のいずれか１項に記載の画像処理装置。
【請求項６】  前記補正手段による濃度情報の補正は、前記ピクセルの一致率が所定値以上である場合に実行されることを特徴とする請求項５記載の画像処理装置。
【請求項７】  前記所定値は、前記他の画像データの補正前の濃度情報に基づいて設定されることを特徴とする請求項６記載の画像処理装置。
【請求項８】  前記補正手段は前記特定の画像データの濃度情報を補正することなく前記他の画像データの濃度情報のみを補正することを特徴とする請求項１〜７のいずれか１項に記載の画像処理装置。
【請求項９】  前記補正手段による前記濃度情報の補正量は、前記他の画像データの補正前の濃度情報に基づいて設定されることを特徴とする請求項８記載の画像処理装置。
【請求項１０】  前記再展開手段により再度展開された前記特定の画像データ及び前記他の画像データのビットマップイメージをモノクロ印刷する印刷手段を備えたことを特徴とする請求項１〜９のいずれか１項に記載の画像処理装置。
【請求項１１】  前記カラー画像データを外部装置から受信する受信手段を備えたことを特徴とする請求項１０記載の画像処理装置。
【請求項１２】  前記再展開手段により再度展開された前記特定の画像データ及び前記他の画像データのビットマップイメージをモノクロ印刷用の印刷装置に出力する出力手段を備えたことを特徴とする請求項１〜９のいずれか１項に記載の画像処理装置。
【請求項１３】  カラー画像データをモノクロ印刷用にビットマップイメージに展開する画像処理方法であって、
重複領域に印刷され得る複数の画像データのうち、特定の画像データをビットマップイメージに展開する第１展開工程と、
前記複数の画像データのうち、前記特定の画像データ及び他の画像データを共にビットマップイメージに展開する第２展開工程と、
前記第１展開工程により展開された前記特定の画像データのビットマップイメージと前記第２展開工程により展開された前記特定の画像データ及び前記他の画像データのビットマップイメージとを比較して両者の濃度差を検出する濃度検出工程と、
該濃度検出工程により検出された濃度差に基づいて前記特定の画像データ及び前記他の画像データの少なくとも一方の濃度情報を補正する補正工程と、
該補正工程により濃度情報の補正がなされた場合は、補正後における前記特定の画像データ及び前記他の画像データを共にビットマップイメージに再度展開する再展開工程とを含むことを特徴とする画像処理方法。
【請求項１４】  ホストコンピュータ及び印刷装置から構成され、カラー画像データをモノクロ印刷用にビットマップイメージに展開する画像処理システムであって、
重複領域に印刷され得る複数の画像データのうち、特定の画像データをビットマップイメージに展開する第１展開手段と、
前記複数の画像データのうち、前記特定の画像データ及び他の画像データを共にビットマップイメージに展開する第２展開手段と、
前記第１展開手段により展開された前記特定の画像データのビットマップイメージと前記第２展開手段により展開された前記特定の画像データ及び前記他の画像データのビットマップイメージとを比較して両者の濃度差を検出する濃度検出手段と、
該濃度検出手段により検出された濃度差に基づいて前記特定の画像データ及び前記他の画像データの少なくとも一方の濃度情報を補正する補正手段と、
該補正手段により濃度情報の補正がなされた場合は、補正後における前記特定の画像データ及び前記他の画像データを共にビットマップイメージに再度展開する再展開手段と、
該再展開手段により再度展開された前記特定の画像データ及び前記他の画像データのビットマップイメージをモノクロ印刷する印刷手段とを備えたことを特徴とする画像処理システム。
【請求項１５】  カラー画像データをモノクロ印刷用にビットマップイメージに展開する画像処理方法で使用されるプログラムを記憶した記憶媒体であって、
重複領域に印刷され得る複数の画像データのうち、特定の画像データをビットマップイメージに展開する第１展開工程のコードと、
前記複数の画像データのうち、前記特定の画像データ及び他の画像データを共にビットマップイメージに展開する第２展開工程のコードと、
前記第１展開工程のコードにより展開された前記特定の画像データのビットマップイメージと前記第２展開工程のコードにより展開された前記特定の画像データ及び前記他の画像データのビットマップイメージとを比較して両者の濃度差を検出する濃度検出工程のコードと、
該濃度検出工程のコードにより検出された濃度差に基づいて前記特定の画像データ及び前記他の画像データの少なくとも一方の濃度情報を補正する補正工程のコードと、
該補正工程のコードにより濃度情報の補正がなされた場合は、補正後における前記特定の画像データ及び前記他の画像データを共にビットマップイメージに再度展開する再展開工程のコードとを記憶したことを特徴とする記憶媒体。
【手続補正２】
【補正対象書類名】明細書
【補正対象項目名】００２６
【補正方法】削除
【補正の内容】
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】変更
【補正の内容】
【００３７】
同じ目的を達成するために本発明の請求項１４の画像処理システムは、ホストコンピュータ及び印刷装置から構成され、カラー画像データをモノクロ印刷用にビットマップイメージに展開する画像処理システムであって、重複領域に印刷され得る複数の画像データのうち、特定の画像データをビットマップイメージに展開する第１展開手段と、前記複数の画像データのうち、前記特定の画像データ及び他の画像データを共にビットマップイメージに展開する第２展開手段と、前記第１展開手段により展開された前記特定の画像データのビットマップイメージと前記第２展開手段により展開された前記特定の画像データ及び前記他の画像データのビットマップイメージとを比較して両者の濃度差を検出する濃度検出手段と、該濃度検出手段により検出された濃度差に基づいて前記特定の画像データ及び前記他の画像データの少なくとも一方の濃度情報を補正する補正手段と、該補正手段により濃度情報の補正がなされた場合は、補正後における前記特定の画像データ及び前記他の画像データを共にビットマップイメージに再度展開する再展開手段と、該再展開手段により再度展開された前記特定の画像データ及び前記他の画像データのビットマップイメージをモノクロ印刷する印刷手段とを備えたことを特徴とする。
【手続補正１４】
【補正対象書類名】明細書
【補正対象項目名】００３８
【補正方法】変更
【補正の内容】
【００３８】
同じ目的を達成するために本発明の請求項１５の記憶媒体は、カラー画像データをモノクロ印刷用にビットマップイメージに展開する画像処理方法で使用されるプログラムを記憶した記憶媒体であって、重複領域に印刷され得る複数の画像データのうち、特定の画像データをビットマップイメージに展開する第１展開工程のコードと、前記複数の画像データのうち、前記特定の画像データ及び他の画像データを共にビットマップイメージに展開する第２展開工程のコードと、前記第１展開工程のコードにより展開された前記特定の画像データのビットマップイメージと前記第２展開工程のコードにより展開された前記特定の画像データ及び前記他の画像データのビットマップイメージとを比較して両者の濃度差を検出する濃度検出工程のコードと、該濃度検出工程のコードにより検出された濃度差に基づいて前記特定の画像データ及び前記他の画像データの少なくとも一方の濃度情報を補正する補正工程のコードと、該補正工程のコードにより濃度情報の補正がなされた場合は、補正後における前記特定の画像データ及び前記他の画像データを共にビットマップイメージに再度展開する再展開工程のコードとを記憶したことを特徴とする。
【手続補正１５】
【補正対象書類名】明細書
【補正対象項目名】００８２
【補正方法】変更
【補正の内容】
【００８２】
【発明の効果】
以上説明したように、本発明の請求項１に係る画像処理装置、請求項１３に係る画像処理方法、請求項１４に係る画像処理システムまたは請求項１５に係る記憶媒体によれば、低コストを維持しつつカラー画像を識別可能にモノクロ印刷することができる。
【手続補正１６】
【補正対象書類名】明細書
【補正対象項目名】００８３
【補正方法】変更
【補正の内容】
【００８３】
本発明の請求項２に係る画像処理装置によれば、背景画像と濃度が近似した色の画像データを背景画像から識別可能なようにモノクロ印刷することができる。
【手続補正１７】
【補正対象書類名】明細書
【補正対象項目名】００８４
【補正方法】変更
【補正の内容】
【００８４】
本発明の請求項３に係る画像処理装置によれば、描画オブジェクトのカラー画像データを特定の画像データから識別可能なようにモノクロ印刷することができる。
【手続補正１８】
【補正対象書類名】明細書
【補正対象項目名】００８５
【補正方法】変更
【補正の内容】
【００８５】
本発明の請求項４に係る画像処理装置によれば、差異が生じ得る領域でのみ処理することで濃度差の検出精度を向上することができる。
【手続補正１９】
【補正対象書類名】明細書
【補正対象項目名】００８６
【補正方法】変更
【補正の内容】
【００８６】
本発明の請求項５に係る画像処理装置によれば、濃度差の検出精度を向上することができる。
【手続補正２０】
【補正対象書類名】明細書
【補正対象項目名】００８７
【補正方法】変更
【補正の内容】
【００８７】
本発明の請求項６に係る画像処理装置によれば、識別が困難と想定される場合に限り濃度補正をして無駄な処理を少なくすることができる。
【手続補正２１】
【補正対象書類名】明細書
【補正対象項目名】００８８
【補正方法】変更
【補正の内容】
【００８８】
本発明の請求項７に係る画像処理装置によれば、他の画像データのあらゆる色に対して補正の必要性を適切に判断することができる。
【手続補正２２】
【補正対象書類名】明細書
【補正対象項目名】００８９
【補正方法】変更
【補正の内容】
【００８９】
本発明の請求項８に係る画像処理装置によれば、複数の他の画像データを特定の画像データから識別可能にモノクロ印刷することができる。
【手続補正２３】
【補正対象書類名】明細書
【補正対象項目名】００９０
【補正方法】変更
【補正の内容】
【００９０】
本発明の請求項９に係る画像処理装置によれば、他の画像データのあらゆる色に対して最適な量の補正を行うことができる。
【手続補正２４】
【補正対象書類名】明細書
【補正対象項目名】００９１
【補正方法】変更
【補正の内容】
【００９１】
本発明の請求項１０に係る画像処理装置によれば、画像処理装置を印刷装置として構成し、印刷装置側での処理により、低コストを維持しつつカラー画像を識別可能にモノクロ印刷することができる。
【手続補正２５】
【補正対象書類名】明細書
【補正対象項目名】００９２
【補正方法】変更
【補正の内容】
【００９２】
本発明の請求項１１に係る画像処理装置によれば、画像処理装置を外部装置と接続可能な印刷装置として構成し、印刷装置側での処理により、外部装置から受信したカラー画像を識別可能にモノクロ印刷することができる。
【手続補正２６】
【補正対象書類名】明細書
【補正対象項目名】００９３
【補正方法】変更
【補正の内容】
【００９３】
本発明の請求項１２に係る画像処理装置によれば、画像処理装置を例えばホストコンピュータとして構成し、ホストコンピュータ側での処理により、低コストを維持しつつカラー画像を識別可能に印刷装置にモノクロ印刷させることができる。